(57)【要約】【課題】  確実な滅菌を行うとともに、滅菌終了の確認作業を容易に行うことができる非常時用滅菌装置を提供することである。【解決手段】  加熱源４により生成される蒸気により被滅菌物２を滅菌する滅菌槽３と、前記滅菌槽３内を滅菌圧力に制御する圧力制御弁５と、滅菌終了報知手段６とを備え、前記滅菌終了報知手段６が、前記滅菌槽３内の圧力を検出する圧力検出器１４と、この圧力検出器１４による検出圧力が設定圧力以上となると作動を開始するタイマ１５と、このタイマ１５が設定時間を計時すると作動して滅菌終了を報知する報知器１６とを含むことを特徴とする。また、前記タイマ１５および前記報知器１６が携帯用電源１７により駆動され、前記圧力検出器１４が設定圧力以上となると閉じ前記タイマ１５へ給電する第一接点１８を備え、前記タイマ１５が計時を終了後閉じ前記報知器１６へ給電する第二接点１９を備えたことを特徴とする。【選択図】    図１
2007089908.tif 000002
【特許請求の範囲】
【請求項１】
加熱源により生成される蒸気により被滅菌物を滅菌する滅菌槽と、前記滅菌槽内を滅菌圧力に制御する圧力制御弁と、滅菌終了報知手段とを備え、前記滅菌終了報知手段が、前記滅菌槽内の圧力を検出する圧力検出器と、この圧力検出器による検出圧力が設定圧力以上となると作動を開始するタイマと、このタイマが設定時間を計時すると作動して滅菌終了を報知する報知器とを含むことを特徴とする非常時用滅菌装置。
【請求項２】
前記タイマおよび前記報知器が携帯用電源により駆動され、前記圧力検出器が設定圧力以上となると閉じ前記タイマへ給電する第一接点を備え、前記タイマが計時を終了後閉じ前記報知器へ給電する第二接点を備えたことを特徴とする請求項１に記載の非常時用滅菌装置。
【請求項３】
前記報知器が報知音を発するものであることを特徴とする請求項１または請求項２に記載の非常時用滅菌装置。
【発明の詳細な説明】
【技術分野】
【０００１】
この発明は、災害時など現場で使用可能な非常時用滅菌装置に関する。
【背景技術】
【０００２】
この種の非常時用滅菌装置は、特許文献１などにて提案されている。ところで、被滅菌物を確実に蒸気により滅菌するには、所定温度以上で所定時間滅菌する必要がある。
【０００３】
【特許文献１】実開昭５７−１２６２４２公報
【発明の開示】
【発明が解決しようとする課題】
【０００４】
特許文献１の従来の滅菌装置においては、消毒チャンバー内の圧力を表示する圧力計しか備えていなので、確実な滅菌を行うには、人が圧力計を見ながら必要な滅菌時間を計らなければならない。一般に非常時においては、各人が複数の作業をかかえているのが普通であり、滅菌装置につきっきりでは、作業が進まず、実用性にかけるものであった。
この発明が解決しようとする課題は、確実な滅菌を行うとともに、滅菌終了の確認作業を容易に行うことができる非常時用滅菌装置を提供することである。
【課題を解決するための手段】
【０００５】
この発明は、前記課題を解決するためになされたもので、請求項１に記載の発明は、加熱源により生成される蒸気により被滅菌物を滅菌する滅菌槽と、前記滅菌槽内を滅菌圧力に制御する圧力制御弁と、滅菌終了報知手段とを備え、前記滅菌終了報知手段が、前記滅菌槽内の圧力を検出する圧力検出器と、この圧力検出器による検出圧力が設定圧力以上となると作動を開始するタイマと、このタイマが設定時間を計時すると作動して滅菌終了を報知する報知器とを含むことを特徴としている。
【０００６】
請求項１に記載の発明によれば、簡易な構成にもかかわらず確実な滅菌を行うことができる。滅菌が終了すると、前記報知器が滅菌終了を知らせるので、作業者は滅菌の終了を容易に知ることができる。また、滅菌終了報知手段を前記タイマ，前記報知器を含む簡易なものとしているので、非常時用滅菌装置に好適なものとすることができる。
【０００７】
請求項２に記載の発明は、請求項１において、前記タイマおよび前記報知器が携帯用電源により駆動され、前記圧力検出器が設定圧力以上となると閉じ前記タイマへ給電する第一接点を備え、前記タイマが計時を終了後閉じ前記報知器へ給電する第二接点を備えたことを特徴としている。
【０００８】
請求項２に記載の発明によれば、前記滅菌終了報知手段の構成を簡素化することができる。
【０００９】
請求項３に記載の発明は、請求項１または請求項２において、前記報知器が報知音を発するものであることを特徴としている。
【００１０】
請求項３に記載の発明によれば、作業者は、耳で滅菌の終了を知ることができ、作業性が一層向上する。
【発明の効果】
【００１１】
この発明によれば、確実な滅菌を行うとともに、滅菌終了の確認作業を容易に行うこと
ができる非常時用滅菌装置を提供することができる。
【発明を実施するための最良の形態】
【００１２】
つぎに、この発明の実施の形態について説明する。この発明の実施の形態に係る非常時用蒸気滅菌装置は、災害時に現場に携行して使用することができるものであり、災害時用滅菌装置または携帯用滅菌装置と称することができる。
【００１３】
この実施の形態は、加熱源により生成される蒸気により被滅菌物を滅菌する滅菌槽と、前記滅菌槽内を滅菌圧力に制御する圧力制御弁と、滅菌終了報知手段とを備え、前記滅菌終了報知手段が、前記滅菌槽内の圧力を検出する圧力検出器と、この圧力検出器による検出圧力が設定圧力以上となると作動を開始するタイマと、このタイマが設定時間を計時すると作動して滅菌終了を報知する報知器とを含むことを特徴とする非常時用滅菌装置である。
【００１４】
この実施の形態においては、前記滅菌槽内の圧力は、前記圧力制御弁の開閉により滅菌に適した滅菌圧力（例えば０．２１５MPa）に保持される。そして、前記滅菌槽内の圧力が設定圧力となったことが前記圧力検出器により検出されると、前記タイマが計時を開始する。滅菌に必要な設定時間を計時すると、前記報知器が滅菌終了を報知する。これにより、作業者は、確実な滅菌の終了を知ることができ、前記加熱源を停止することができる。
【００１５】
ここで、この実施の形態の構成要素について説明する。前記滅菌槽は、被滅菌物を収容したり出したりするための開口を有した容器と、前記開口を開閉する着脱自在の蓋とを備え、高圧滅菌に耐え得る耐圧構造に形成されている。そして前記滅菌槽は、耐熱性の金属、たとえばステンレスなどにより形成される。勿論、前記容器と前記蓋とは、閉時には、高圧滅菌に耐え得るように、密閉状態で、互いに係合するように構成され、その具体的構成としては、周知の圧力鍋の構造を採用することができる。前記滅菌槽への水の供給は、好ましくは、前記開口から行う。
【００１６】
前記滅菌槽には、滅菌開始時に空気を逃がし、設定圧力となると閉じる空気排除弁と、異常圧力となると開く安全弁とを備える。
【００１７】
前記加熱源は、好ましくは、携帯用加熱源であり、ガス式カセットコンロとするが、携帯でき滅菌に必要な熱を供給できるものであれば、これに限定されない。
【００１８】
前記圧力制御弁は、好ましくは、前記滅菌槽内の圧力に応動して機械的に開閉する弁であって、前記滅菌槽内圧力を滅菌に適した圧力以上の設定圧力に維持する機能を有するものであれば、構造は特定されない。この圧力制御弁としては、周知の圧力鍋の圧力制御弁を用いることができる。この圧力制御弁の取付は、前記容器または前記蓋とすることができる。
【００１９】
前記タイマおよび前記報知器は、好ましくは、携帯用電源にて駆動される構成のものとする。この携帯用電源としては、乾電池，燃料電池，蓄電池が用いられ、車のバッテリーとすることができる。  
【００２０】
前記滅菌報知手段の圧力検出器は、前記滅菌槽内の圧力が設定値圧力となったことを検出して、前記タイマへの作動を開始する機能を有するものである。前記設定圧力は、前記滅菌圧力と同じでも良いし、若干異ならせても良い。前記圧力検出器は、好ましくは、前記設定圧力を検出すると機械的に閉じる第一接点を有するものとする。こうすることで、前記タイマを前記携帯用電源にて駆動する場合、この第一接点を前記電池から前記タイマ
への給電回路に設けることができ、回路構成を簡略化できる。  
【００２１】
前記タイマは、前記圧力検出器が前記設定圧力を検出すると、計時を開始し、設定時間の計時を終了すると、前記報知器の作動を開始する機能を有する。このタイマは、好ましくは、前記設定時間の計時を終了すると機械的に閉じる第二接点を設けるものとする。こうすることで、前記報知器を前記携帯用電源にて駆動する場合、前記第二接点を前記携帯用電源から前記報知器への給電回路に設けることができ、回路構成を簡略化できる。  
【００２２】
また、前記報知器は、好ましくは、ブザーのような音を発することにより報知するものとするが、点滅するランプなどとすることができる。
【実施例】
【００２３】
以下、この発明の具体的実施例を図面に基づいて詳細に説明する。図１は、同実施例の概略構成を説明する図であり、図２は、同実施例の滅菌報知手段の概要を説明する電気回路図である。
【００２４】
この実施例は、水１と被滅菌物２を収容する耐圧性の滅菌槽３と、この滅菌槽３を加熱する携帯用加熱源４と、前記滅菌槽３内圧力に応動して開閉し前記滅菌槽３内を滅菌圧力Ｐ１（例えば０．２１５MPa）に制御する圧力制御弁５と、滅菌終了報知手段６とを主要部として備えている。
【００２５】
ここで、この実施例の各構成要素について説明する。前記滅菌槽３は、被滅菌物２を収容したり、出したりするための開口７を有した容器８と、前記開口７を開閉する着脱自在の蓋９とを備えている。
【００２６】
そして、前記滅菌槽は、耐熱性の金属、たとえばステンレスなどにより形成される。前記容器８と前記蓋９とは、閉時には、密閉状態で、互いに係合するように構成されている。その構造は、周知の圧力鍋の構造を採用したものであり、説明を省略する。前記滅菌槽への水の供給は、前記開口７から行うように構成しており、水は、前記容器８内に着脱自在に設けた棚１０の下方に貯留される。前記被滅菌物２は、前記棚１０の上に載置される。
【００２７】
前記滅菌槽３の蓋９には、滅菌開始時に空気を逃がし、前記滅菌圧力Ｐ１より所定値低い設定圧力となると閉じる空気排除弁１１と、前記滅菌圧力Ｐ１より所定値高い異常圧力となると開き、この異常圧力より所定値低い設定圧力となると閉じる安全弁１２とを備えている。
【００２８】
また、前記滅菌槽３は、これを着脱自在に支持する架台１３を備えている。
【００２９】
前記携帯用加熱源４は、着脱自在のガスボンベ（図示省略）ガス式カセットコンロを用いている。
【００３０】
前記圧力制御弁５は、前記滅菌槽３内の圧力に応動して機械的に開閉する弁により構成され、前記蓋９に装着されている。
【００３１】
図１および図２を参照して、前記滅菌終了報知手段６は、前記滅菌槽３内の圧力を検出する圧力検出器１４と、この圧力検出器１４による検出圧力が設定圧力Ｐ２以上となると作動を開始するタイマ１５と、このタイマ１５が設定時間Ｔ１を計時すると作動して滅菌終了を報知する報知器１６とを含んでいる。前記タイマ１５および前記報知器１６は、携帯用電源としての電池１７により駆動される。
【００３２】
前記圧力検出器１４は、前記設定圧力Ｐ２を検出すると機械的に閉じる第一接点１８を有するものとする。前記設定圧力Ｐ２は、この実施例では、前記滅菌圧力ＰＩと同じとしている。
【００３３】
前記タイマ１５は、前記電池１７により駆動され、通電開始とともに計時を開始し、設定時間Ｔ１の計時を終了すると、機械的に閉じる第二接点１９を備えている。このタイマ１５は、好ましくは、給電が停止されると、計時がリセットされるものとするが、手動によりリセットするものを用いることができる。
【００３４】
また、前記報知器１６は、ブザーであり、その出力音量を調整可能としている。前記電池１７は、乾電池としている。
【００３５】
前記滅菌終了報知手段６の各構成要素は、図２のように回路接続されている。すなわち、前記タイマ１５は、手動式スイッチ２０および前記第一接点１８を介して前記電池１７と接続され、前記報知器１６は、前記手動式スイッチ２０および前記第二接点１９を介して前記電池１７と接続されている。また、前記滅菌終了報知手段６の前記第一接点１８を除く、各構成要素は、前記架台１３の熱的影響を受けない箇所に装着される制御ボックス２１に一体化されている。前記第一接点１８は、前記圧力検出器１４に内蔵されている。
【００３６】
前記滅菌槽３には、滅菌終了後に手動にて開いて内部圧力を開放する圧力開放弁２２を備えている。
【００３７】
以上の構成の実施例の動作を説明する。先ず、作業者は、準備段階として、図１に示すように、前記架台１３に前記滅菌槽３と携帯用加熱源４とをセットする。ついで、前記蓋９を開いて、水１と被滅菌物２を前記容器８内へ収容し、再び前記蓋９を密閉状態に閉じる。前記圧力開放弁２２を閉じ、前記手動スイッチ２０を閉じる。この時、前記空気排除弁１１は開き、前記安全弁１２は閉じている。
【００３８】
この準備段階を終了すると、前記携帯用加熱源４に着火して、前記滅菌槽３の加熱を開始する。この加熱を始めると、前記滅菌槽３内の空気は、発生する蒸気により、前記空気排除弁１１から押し出されて排出され、空気排除工程が行われる。前記滅菌槽３内圧力が上昇すると、前記空気排除弁１１が自動的に締まり、前記滅菌槽３内の圧力は更に上昇し、やがて、滅菌圧力Ｐ１に到達し、滅菌工程が開始される。
【００３９】
滅菌工程が開始されると、前記圧力検出器１４により、前記第一接点１８が閉じ、前記タイマ１５への給電が開始され、計時を開始する。設定時間Ｔ１を計時すると、前記タイマ１５は、前記第二接点１９を閉じ、前記報知器１６へ給電する。その結果、前記報知器１６より報知音が発せられる。
【００４０】
この報知音により、作業者は、滅菌が終了したことを知り、前記手動スイッチ２０を開くとともに、前記圧力開放弁２２を開き、前記滅菌槽３内を大気圧へ復圧する。復圧が終了すると、前記蓋９を開き、滅菌が終了した被滅菌物２を取り出す。こうして、滅菌作業を終了する。
【００４１】
この実施例によれば、前記滅菌終了報知手段６が前記電池１７により作動され、かつ前記滅菌終了報知手段６の回路構成が簡易な構成となっているので、非常時用滅菌装置として好適である。
【００４２】
この発明は、前記実施例に限定されるものではなく、例えば、前記架台１３と前記携帯
用加熱源４を予め一体化したものとすることができる。
【図面の簡単な説明】
【００４３】
【図１】この発明の実施例の概略構成を説明する図である。
【図２】同実施例の電気回路構成を説明する図である。
【符号の説明】
【００４４】
１  水
２  被滅菌物
３  滅菌槽
４  携帯用加熱源
５  圧力制御弁
６  滅菌終了報知手段
１５  タイマ
１６  報知手段
１７  電池（携帯用電源）
【図１】
2007089908.tif 000003
【図２】
2007089908.tif 000004